【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
浴槽と、該浴槽の中の湯を循環させて清浄化する循環清浄化ユニットと、該循環清浄化ユニットと前記浴槽とを連結し、該浴槽から前記循環清浄化ユニットに湯を吸入するための連通管と前記循環清浄化ユニットから清浄化した湯を前記浴槽へ排出するための連通管との少なくとも２本の連通管とを備える浴槽水の循環清浄化システムにおいて、前記２本の連通管が前記浴槽の側壁に接続される位置に、清浄化した湯を前記浴槽へ排出するための連通管の端部と連結する排出接続口に連絡して形成されて排出する湯を案内する排出口を備え、浴槽から前記循環清浄化ユニットに湯を吸入するための連通管の端部と連結する吸入接続口に連絡して形成されて前記排出口の周囲に形成された吸入口とを備えたユニット本体を設け、該ユニット本体を前記側壁の内側に取付けられる筒状フランジ部により浴槽の側壁に固定すると共に、前記排出口に着脱可能に接続されて排出する湯を吸入する湯から分離して案内する吸排ユニットを設け、前記筒状フランジ部に装着されることで前記吸入口に連通するプレフィルタユニットを前記筒状フランジ部に着脱可能に設けると共に、前記吸排ユニットが挿通する開口部を設けて、前記プレフィルタユニットと前記吸排ユニットを着脱可能にしたことを特徴とする浴槽水の循環清浄化装置。
【請求項２】
浴槽と、該浴槽の中の湯を循環させて清浄化する循環清浄化ユニットと、該循環清浄化ユニットと前記浴槽とを連結し、該浴槽から前記循環清浄化ユニットに湯を吸入するための連通管と前記循環清浄化ユニットから清浄化した湯を前記浴槽へ排出するための連通管との少なくとも２本の連通管とを備える浴槽水の循環清浄化システムにおいて、前記２本の連通管が前記浴槽の側壁に接続される位置に、清浄化した湯を前記浴槽へ排出するための連通管の端部と連結する排出接続口に連絡して形成されて排出する湯を案内する排出口と排出湯にエアーを混入するためのエアー管が接続されるエアー取入れ部とを備え、浴槽から前記循環清浄化ユニットに湯を吸入するための連通管の端部と連結する吸入接続口に連絡して形成されて前記排出口の周囲に形成された吸入口とを備えたユニット本体を設け、該ユニット本体を前記側壁の内側に取付けられる筒状フランジ部により浴槽の側壁に固定すると共に、前記排出口に着脱可能に接続されて排出する湯を吸入する湯から分離して案内する吸排ユニットを設け、エアーを混入すると共にエアーの逆流を防止するためのエアー逆止弁を設け、前記筒状フランジ部に装着されることで前記吸入口に連通するプレフィルタユニットを前記筒状フランジ部に着脱可能に設けると共に、前記吸排ユニットが挿通する開口部を設けて、前記プレフィルタユニットと前記吸排ユニットを着脱可能にしたことを特徴とする浴槽水の循環清浄化装置。
【請求項３】
浴槽と、該浴槽の中の湯を循環させて清浄化する循環清浄化ユニットと、該循環清浄化ユニットと前記浴槽とを連結し、該浴槽から前記循環清浄化ユニットに湯を吸入するための連通管と前記循環清浄化ユニットから清浄化した湯を前記浴槽へ排出するための連通管との少なくとも２本の連通管とを備える浴槽水の循環清浄化システムにおいて、前記２本の連通管が前記浴槽の側壁に接続される位置に、清浄化した湯を前記浴槽へ排出するための連通管の端部と連結する排出接続口に連絡して形成されて排出する湯を案内する排出口と排出湯にエアーを混入するためのエアー管が接続されるエアー取入れ部とを備え、浴槽から前記循環清浄化ユニットに湯を吸入するための連通管の端部と連結する吸入接続口に連絡して形成されて前記排出口の周囲に形成された吸入口とを備えたユニット本体を設け、該ユニット本体を前記側壁の内側に取付けられる筒状フランジ部により浴槽の側壁に固定すると共に、前記排出口に着脱可能に接続されて排出する湯を吸入する湯から分離して案内する吸排ユニットを設け、該吸排ユニットの先端を前記エアー取入れ部に臨ませると共にエアーの逆流を防止するためのエアー逆止弁を設け、前記筒状フランジ部に装着されることで前記吸入口に連通するプレフィルタユニットを前記筒状フランジ部に着脱可能に設けると共に、前記吸排ユニットが挿通する開口部を設けて、前記プレフィルタユニットと前記吸排ユニットを着脱可能にしたことを特徴とする浴槽水の循環清浄化装置。
【手続補正２】
【補正対象書類名】明細書
【補正対象項目名】０００５
【補正方法】変更
【補正の内容】
【０００５】
【課題を解決するための手段】
すなわち、本発明は、浴槽と、該浴槽の中の湯を循環させて清浄化する循環清浄化ユニットと、該循環清浄化ユニットと前記浴槽とを連結し、該浴槽から前記循環清浄化ユニットに湯を吸入するための連通管と前記循環清浄化ユニットから清浄化した湯を前記浴槽へ排出するための連通管との少なくとも２本の連通管とを備える浴槽水の循環清浄化システムにおいて、前記２本の連通管が前記浴槽の側壁に接続される位置に、清浄化した湯を前記浴槽へ排出するための連通管の端部と連結する排出接続口に連絡して形成されて排出する湯を案内する排出口を備え、浴槽から前記循環清浄化ユニットに湯を吸入するための連通管の端部と連結する吸入接続口に連絡して形成されて前記排出口の周囲に形成された吸入口とを備えたユニット本体を設け、該ユニット本体を前記側壁の内側に取付けられる筒状フランジ部により浴槽の側壁に固定すると共に、前記排出口に着脱可能に接続されて排出する湯を吸入する湯から分離して案内する吸排ユニットを設け、前記筒状フランジ部に装着されることで前記吸入口に連通するプレフィルタユニットを前記筒状フランジ部に着脱可能に設けると共に、前記吸排ユニットが挿通する開口部を設けて、前記プレフィルタユニットと前記吸排ユニットを着脱可能にしたことで課題を解決することが出来た。
また、本発明は、浴槽と、該浴槽の中の湯を循環させて清浄化する循環清浄化ユニットと、該循環清浄化ユニットと前記浴槽とを連結し、該浴槽から前記循環清浄化ユニットに湯を吸入するための連通管と前記循環清浄化ユニットから清浄化した湯を前記浴槽へ排出するための連通管との少なくとも２本の連通管とを備える浴槽水の循環清浄化システムにおいて、前記２本の連通管が前記浴槽の側壁に接続される位置に、清浄化した湯を前記浴槽へ排出するための連通管の端部と連結する排出接続口に連絡して形成されて排出する湯を案内する排出口と排出湯にエアーを混入するためのエアー管が接続されるエアー取入れ部とを備え、浴槽から前記循環清浄化ユニットに湯を吸入するための連通管の端部と連結する吸入接続口に連絡して形成されて前記排出口の周囲に形成された吸入口とを備えたユニット本体を設け、該ユニット本体を前記側壁の内側に取付けられる筒状フランジ部により浴槽の側壁に固定すると共に、前記排出口に着脱可能に接続されて排出する湯を吸入する湯から分離して案内する吸排ユニットを設け、エアーを混入すると共にエアーの逆流を防止するためのエアー逆止弁を設け、前記筒状フランジ部に装着されることで前記吸入口に連通するプレフィルタユニットを前記筒状フランジ部に着脱可能に設けると共に、前記吸排ユニットが挿通する開口部を設けて、前記プレフィルタユニットと前記吸排ユニットを着脱可能にしたことにより課題を解決することが出来た。
さらに、本発明は、浴槽と、該浴槽の中の湯を循環させて清浄化する循環清浄化ユニットと、該循環清浄化ユニットと前記浴槽とを連結し、該浴槽から前記循環清浄化ユニットに湯を吸入するための連通管と前記循環清浄化ユニットから清浄化した湯を前記浴槽へ排出するための連通管との少なくとも２本の連通管とを備える浴槽水の循環清浄化システムにおいて、前記２本の連通管が前記浴槽の側壁に接続される位置に、清浄化した湯を前記浴槽へ排出するための連通管の端部と連結する排出接続口に連絡して形成されて排出する湯を案内する排出口と排出湯にエアーを混入するためのエアー管が接続されるエアー取入れ部とを備え、浴槽から前記循環清浄化ユニットに湯を吸入するための連通管の端部と連結する吸入接続口に連絡して形成されて前記排出口の周囲に形成された吸入口とを備えたユニット本体を設け、該ユニット本体を前記側壁の内側に取付けられる筒状フランジ部により浴槽の側壁に固定すると共に、前記排出口に着脱可能に接続されて排出する湯を吸入する湯から分離して案内する吸排ユニットを設け、該吸排ユニットの先端を前記エアー取入れ部に臨ませると共にエアーの逆流を防止するためのエアー逆止弁を設け、前記筒状フランジ部に装着されることで前記吸入口に連通するプレフィルタユニットを前記筒状フランジ部に着脱可能に設けると共に、前記吸排ユニットが挿通する開口部を設けて、前記プレフィルタユニットと前記吸排ユニットを着脱可能にすることにより課題を解決することが出来た。